【事件の表示】
　商願２０００−１３１１３９拒絶査定不服審判事件について、次のとおり審決する。
【結　論】
　本件審判の請求は、成り立たない。
【理　由】
１　本願商標
　本願商標は、別掲（１）のとおりの構成からなり、第９類、第１６類、第３８類、第４１類及び第４２類に属する願書記載のとおりの商品及び役務を指定商品及び指定役務として平成１２年１２月６日に登録出願され、その後、指定商品及び指定役務については、平成１４年６月１８日及び同年１０月２４日に提出された手続補正書により最終的に第１６類「 紙類，紙製包装用容器，家庭用食品包装フィルム，紙製ごみ収集用袋，プラスチック製ごみ収集用袋，衛生手ふき，紙製タオル，紙製テーブルナプキン，紙製手ふき，紙製ハンカチ，型紙，裁縫用チャコ，紙製テーブルクロス，紙製ブラインド，紙製のぼり，紙製旗，紙製幼児用おしめ，荷札，印刷物，書画，写真，写真立て，かるた，歌がるた，トランプ，花札，文房具類（「昆虫採集用具」を除く。），事務用又は家庭用ののり及び接着剤，青写真複写機，あて名印刷機，印字用インクリボン，こんにゃく版複写機，自動印紙はり付け機，事務用電動式ホッチキス，事務用封かん機，消印機，製図用具，タイプライター，チェックライター，謄写版，凸版複写機，文書細断機，郵便料金計器，輪転謄写機，封ろう，マーキング用孔開型板，観賞魚用水槽及びその附属品」に減縮補正されたものである。
　
２　引用商標
　原査定において本願の拒絶の理由に引用された登録商標は、以下のとおりである。
（１）登録第１４２８１９号商標
　商標の構成態様：「“ＳＴＡＲ”」
　出願日：大正１０年１０月２６日
　設定登録日：大正１１年３月１０日
　指定商品：第５０類「紙、其他本類ニ属スル商品一切」
　指定商品の書換登録（平成１４年１０月３０日）後の指定商品：第１類「試験紙」、第１６類「紙類（ろ紙を除く。），紙製包装用容器，紙製ごみ収集袋，紙製手ふき，紙製荷札，紙製テーブルクロス，紙製文房具（トレーシングクロスを除く。），張りふみばこ，一閑張り」、第２７類「壁紙」
（２）登録第１４２８２０号商標
  商標の構成態様：「黒塗りの星形図形」の下部に「“ＳＴＡＲ”」を横書きした構成
　出願日：大正１０年１０月１８日
　設定登録日：大正１１年３月１３日
　指定商品：第５０類「紙、其他本類ニ属スル商品一切」
　指定商品の書換登録（平成１４年１０月３０日）後の指定商品：第１類「試験紙」、第１６類「紙類（ろ紙を除く。），紙製包装用容器，紙製ごみ収集袋，紙製手ふき，紙製荷札，紙製テーブルクロス，紙製文房具（トレーシングクロスを除く。），張りふみばこ，一閑張り」、第２７類「壁紙」
（３）登録第２７９１７１号商標
　商標の構成態様：「線書きの星形図形」に筆記体の「Ｓｔａｒ］を横書きに重ねた構成
　出願日：昭和１０年３月１６日
　設定登録日：昭和１１年６月１９日
　指定商品：第１８類「医術及理化学用器械及器具、其ノ他本類ニ属スル商品」
（４）登録第５１９７６８号商標
  商標の構成態様：「線書きの星形図形」の下部に「スター」を縦書きした構成
　出願日：昭和３１年８月１７日
　設定登録日：昭和３３年５月２日
　指定商品：第５１類「文房具」
（５）登録第５３７６５５号商標
  商標の構成態様：「スタア」
　出願日：昭和３２年９月１０日
　設定登録日：昭和３４年６月２４日
　指定商品：第６６類「雑誌」
（６）登録第１４９５４６９号商標　
  商標の構成態様：「ｓｔａｒ」
　出願日：昭和５２年１２月２７日
　設定登録日：昭和５７年１月２９日
　指定商品：第２５類「紙類」
  指定商品の書換登録（平成１３年１１月７日）後の指定商品：第１類「試験紙」、第１６類「紙類」、第２７類「壁紙」
（７）登録第１４９５４７０号商標
  商標の構成態様：「黒塗りの星形図形」の右横に「ｓｔａｒ」を横書きした構成
　出願日：昭和５２年１２月２７日
　設定登録日：昭和５７年１月２９日
　指定商品：第２５類「紙類」
  指定商品の書換登録（平成１３年１１月７日）後の指定商品：第１類「試験紙」、第１６類「紙類」、第２７類「壁紙」
（８）登録第１５６７７２６号商標
  商標の構成態様：「スター」
　出願日：昭和５３年３月１７日
　設定登録日：昭和５８年２月２５日
　指定商品：第２５類「紙類」
（９）登録第１５６７７２７号商標
  商標の構成態様：「黒塗りの星形図形」の右横に「スター」を横書きした構成
　出願日：昭和５３年３月１７日
　設定登録日：昭和５８年２月２５日
　指定商品：第２５類「紙類」
（１０）登録第２７０４９９８号商標
  商標の構成態様：「ｓｔａｒ」
　出願日：昭和６１年８月１５日
　設定登録日：平成７年３月３１日
　指定商品：第２０類「家具　畳類　建具　屋内装置品（書画および彫刻を除く。）　屋外装置品（他の類に属するものを除く。）　記念カップ類　葬祭用具」
（１１）登録第３０３６４５０号商標
  商標の構成態様：黒塗りの長方形中に図案化された「ｓｔａｒ」を白抜きにした構成
　出願日：平成４年９月２６日
　設定登録日：平成７年４月２８日
　指定役務：第４２類「建築物の設計，電子計算機のプログラムの設計・作成又は保守」
（１２）登録第３０５１１９６号商標
  商標の構成態様：「スタア」
　出願日：平成４年９月３０日
　設定登録日：平成７年６月３０日
　指定役務：第４１類「映画の上映」
（１３）登録第３０８７０９３号商標
　商標の構成態様：「スター」
　出願日：平成４年９月３０日
　設定登録日：平成７年１０月３１日
　指定役務：第４１類「ぱちんこホールの提供」
（１４）登録第４３２１３１７号商標
  商標の構成態様：「ＳＴＡＲ」（標準文字）
　出願日：平成９年１２月２日
　設定登録日：平成１１年１０月１日
　指定役務：第４２類「機械・装置若しくは器具（これらの部品を含む。）又はこれらにより構成される設備の設計，電子計算機・自動車その他その用途に応じて的確な操作をするためには高度の専門的な知識・技術又は経験を必要とする機械の性能・操作方法等に関する紹介及び説明，機械器具に関する試験又は研究，カーテンの貸与，家具の貸与，壁掛けの貸与，敷物の貸与，カメラの貸与，光学機械器具の貸与，漁業用機械器具の貸与，鉱山機械器具の貸与，芝刈機の貸与，タオルの貸与，暖冷房装置の貸与，加熱器の貸与，調理台の貸与，流し台の貸与，凸版印刷機の貸与，美容院用又は理髪店用の機械器具の貸与，理化学機械器具の貸与」
（１５）登録第４３３１９１５号商標
  商標の構成態様：「スタア」
　出願日：平成１０年８月１３日
　設定登録日：平成１１年１１月５日
　指定商品：第１６類「雑誌，新聞」
（１６）登録第４３４３３５８号商標
  商標の構成態様：別掲（２）のとおり
　出願日：平成１０年６月２９日
　設定登録日：平成１１年１２月１０日
　指定商品：第１４類「貴金属，貴金属製食器類，貴金属製のくるみ割り器・こしょう入れ・砂糖入れ・塩振出し容器・卵立て・ナプキンホルダー・ナプキンリング・盆及びようじ入れ，貴金属製針箱，貴金属製のろうそく消し及びろうそく立て，貴金属製のがま口及び財布，貴金属製コンパクト，貴金属製喫煙用具，身飾品（「カフスボタン」を除く。），カフスボタン，宝玉及びその模造品，宝玉の原石」
（１７）登録第４３５３２４０号商標
  商標の構成態様：「ＳＴＡＲ」
　出願日：昭和６２年４月１３日
　設定登録日：平成１２年１月２１日
　指定商品：第９類「機械要素、その他本類に属する商品（但し、半導体製造装置、農業用機械器具、蚕種製造または養蚕用機械器具、事務用機械器具、修繕用機械器具、保安用ヘルメット、管継ぎ手、パツキング及びガスケツトを除く）」
　
３　当審の判断
　上記１のとおり、本願商標の指定商品及び指定役務が減縮補正された結果、補正後の指定商品と上記２の登録商標のうち、（５）、（１１）ないし（１４）に掲げた登録商標の指定商品又は指定役務とは類似しないものとなった。また、（１７）に掲げた登録商標は登録無効の審決が確定し、平成１４年５月１日に本商標権の抹消の登録がされているものである。してみれば、これらの登録商標を引用して本願商標が商標法第４条第１項第１１号に該当するとの理由は解消したものといえるが、上記２にはこれら以外に後述の登録商標が残存している。
　そこで、本願商標と上記２（１）ないし（４）、（６）ないし（１０）、（１５）及び（１６）掲げた登録商標との類否について検討するに、本願商標は、別掲（１）のとおり、「ＡＴＡＲ」の文字と図形とからなるところ、該文字部分と図形部分とが常に一体不可分のものとしてのみ認識されるとすべき格別の理由は見出し難く、それぞれの部分が独立して自他商品の識別標識としての機能を果たすものというべきであるから、「ＳＴＡＲ」の文字部分から単に「スター」の称呼及び「星」の観念を生ずるものといえる。
　他方、上記２（１）ないし（４）、（６）ないし（１０）及び（１６）に掲げた登録商標（以下、これらをまとめて「引用商標Ａ」という。）は、いずれも構成中に「ＳＴＡＲ」、「Ｓｔａｒ」、「ｓｔａｒ」、「スター」の文字を有するものであり、それぞれの構成に照らし、該文字部分が独立して自他商品の識別標識としての機能を果たすものというべきであって、いずれも該文字部分から「スター」の称呼及び「星」の観念を生ずるものである。また、上記２（１５）に掲げた登録商標（以下「引用商標Ｂ」という。）は、「スタア」の文字より構成されるものであるから、「スタア」の称呼が生ずるものである。
　してみれば、本願商標と引用商標Ａとは「スター」の称呼及び「星」の観念を共通にする類似の商標である。また、本願商標と引用商標Ｂとは、本願商標から生ずる「スター」と引用商標から生ずる「スタア」の称呼とを比較すると語頭からの２音を同じくし、第３音における差異も長音か第２音の母音（ａ）と重なる「ア」かの微差にすぎないものであるから明瞭に聴取されるものとはいい難く、それぞれを一連に称呼するときには語調語感が近似し称呼上類似する商標といわなければならない。
　また、本願商標の指定商品と引用商標の指定商品とは、同一又は類似のものである。
　したがって、本願商標が商標法第４条第１項第１１号に該当するとして本願を拒絶した原査定は、妥当なものであって、取り消すべき限りでない。
　なお、請求人は、同人が所有する「ＳＴＡＲ（図）ＴＶ」の構成からなる登録第３３１５１９１号商標ほか１０件の登録商標が引用商標と併存していることをもって、本願商標も該登録商標と同様に引用商標とは区別して登録されるべき旨主張しているが、請求人の引用に係る上記登録商標と本願商標とは構成態様が異なり、同列には論じられないばかりでなく、商標の類否判断は個別具体的に判断されるべきであり、上記のとおり本願商標と引用商標とが類似するものである以上、請求人の主張は採用することができない。
　よって、結論のとおり審決する。